(57)【要約】      （修正有）【課題】安定性に優れた積み木固定構造を提供する。【解決手段】積み木本体から構成され、上記積み木本体は、ボックス部２１と連接支持体２２、開放空間２３、位置決め突起部２４、位置決めブロック２５及び位置決め円弧面２６から組み立てられ、主として、上記開放空間内において、位置決めブロックが設けられ、その位置決めブロックの側辺に、内側へ凹んで、少なくとも四つの位置決め円弧面が形成され、これにより、ボックス部同士が、互いに組立ての際、位置決めブロックの側辺にある位置決め円弧面が、連接支持体のエッジに密着し、上記各位置決め円弧面の被覆性により、覆うように、緊密に、連接支持体エッジに係合させることができる。【選択図】図２
0003175363.tif 000002
【実用新案登録請求の範囲】
【請求項１】
ボックス部、連接支持体、開放空間及び位置決め突起部からなり、ボックス部の頂面に、少なくとも一つの連接支持体が形成され、ボックス部の底面に、開放空間が内側へ凹んで形成され、上記開放空間の内壁に、位置決め突起部が形成される積み木本体を有する  積み木固定構造であって、
積み木本体の開放空間に、少なくとも一つの位置決めブロックが形成され、それぞれの位置決めブロックの側辺に、少なくとも四つの位置決め円弧面が凹んで形成され、ボックス部が互いに組立てられる際に、位置決めブロックの側辺の位置決め円弧面が、連接支持体のエッジに密着する
ことを特徴とする積み木固定構造。
【請求項２】
積み木本体の開放空間に、位置決め体が増設されることを特徴とする請求項１に記載の積み木固定構造。
【請求項３】
上記開放空間に設けられた位置決め体が、積み木本体の連接支持体に組立てられる際に対応する位置に設置されることを特徴とする請求項２に記載の積み木固定構造。
【請求項４】
積み木本体の連接支持体、上記連接支持体の頂面のエッジが面取りであることを特徴とする請求項１に記載の積み木固定構造。
【請求項５】
積み木本体の位置決め突起部と位置決め円弧面が積み木本体の連接支持体と組立てられる面に、上記連接支持体の面取りに合わせる傾斜面が形成されることを特徴とする請求項４に記載の積み木固定構造。
【考案の詳細な説明】
【技術分野】
【０００１】
本考案は、積み木固定構造に関するものであり、更に詳しくは、積み木同士が互いに組立てられる構造であって、安定性に優れた積み木の組立ての固定構造に関するものである。
【背景技術】
【０００２】
図１に示すように、従来の積み木は、積み木本体１から構成され、上記積み木本体１に、ボックス部１１が設けてあり、ボックス部１１は、頂面に連接支持体１２が形成されてある。また、底面に、開放空間１３が設けてあり、上記開放空間１３内に、位置決めブロック１４が設けられてある。
【０００３】
従来の積み木は、組み立ての際、上記ボックス部１１の位置決めブロック１４と連接支持体１２とが係合された後、その位置決めブロック１４のエッジが、連接支持体１２のエッジとが接する点において、上記連接支持体１２に接して係合するが、このような一点対一点である固定構造であれば、連接支持体１２が、位置決めブロック１４から脱離し易く、長期的に使用すると、二つの部材が、相対的に摩擦することにより、その係合効果が悪化し、その安定性が低下する恐れがある。    
【考案の概要】
【考案が解決しようとする課題】
【０００４】
従って本考案の課題は、積み木を互いに組み立てる際に、安定性に優れた積み木の組立ての固定構造を提供することにある。
【課題を解決するための手段】
【０００５】
そこで、本考案者は上記の本考案の課題を解決するために鋭意検討を重ねた結果、ボックス部の位置決めブロックに位置決め体との接触を円滑にできるように円弧面を形成させることにより、上記課題を解決できることに着目し、かかる知見に基いて本考案に想到するに至った。
【０００６】
すなわち、ボックス部の位置決めブロック構造設計により、位置決め円弧面が、囲むように、連接支持体のエッジに緊密に係合でき、積み木の組立ての際の固定構造が、より安定的になり、使用実用性が向上することに着目したのである。
【０００７】
かくして、本考案によれば、ボックス部、連接支持体、開放空間及び位置決め突起部からなり、ボックス部の頂面に、少なくとも一つの柱状体の連接支持体が形成され、ボックス部の底面に、開放空間が内側へ凹んで形成され、上記開放空間の内壁に、位置決め突起部が形成される積み木本体を有する積み木固定構造であって、
積み木本体の開放空間に、少なくとも一つの位置決めブロックが形成され、それぞれの位置決めブロックの側辺に、少なくとも四つの位置決め円弧面が凹んで形成され、ボックス部が互いに組立てられる際に、位置決めブロックの側辺の位置決め円弧面が、連接支持体のエッジに密着する
ことを特徴とする積み木固定構造
が提供される。
【０００８】
前記積み木本体の開放空間に、位置決め体が増設されることが好ましい。
【０００９】
上記開放空間に設けられた位置決め体が、積み木本体の連接支持体に組立てられる際に対応する位置に設置されることが好ましい。
【００１０】
積み木本体の連接支持体、上記連接支持体の頂面のエッジが面取りであることが好ましい。  
【００１１】
前記積み木本体の位置決め突起部と位置決め円弧面が積み木本体の連接支持体と組み立てられる面に、上記連接支持体の面取りに合わせる傾斜面が形成されることが好ましい。
【考案の効果】
【００１２】
本考案は上記の構成からなるもので、ボックス部の位置決めブロックに設けた位置決め円弧面が囲むように連接支持体のエッジに緊密に結合できるので、安定性に優れた積み木の組立の固定構造を提供することができる。
【考案を実施するための最良の形態】
【００１３】
以下、図面を参照しながら、本考案の特徴や技術内容について、詳しく説明するが、それらの図面等は、参考や説明のためであり、本考案は、それによって限定されるものではない。
【００１４】
図２に本考案に係る積み木固定構造を示す。
積み木本体２が、ボックス部２１と連接支持体２２、開放空間２３、位置決め突起部２４、位置決めブロック２５及び位置決め円弧面２６からなる。上記ボックス部２１の頂面に、少なくとも一つの連接支持体（連接柱）２２が形成され、ボックス部２１の底面に、開放空間２３が内側へ凹んで形成され、上記開放空間２３の内壁に、若干の位置決め突起部２４が形成される。また、開放空間２３内において、少なくとも一つの位置決めブロック２５が設けられ、各位置決めブロック２５の側辺において、ともに、少なくとも四つの位置決め円弧面２６が内側へ凹んで形成されている。また、開放空間２３において、位置決め体２７が増設され、上記位置決め体２７が、上記連接支持体２２に組立てられる際に対応する位置に設置され、ボックス部２１同士が、組立てられる際に、上記位置決めブロック２５の側辺に形成されてある位置決め円弧面２６に合わせて、開放空間２３の位置決め突起部２４に、連接支持体２２のエッジが密着し、そして、位置決め体２７が、連接支持体２２の頂面に密着し、ユーザーが、その連接支持体２２とボックス部２１とが、組立てられた際の位置が判るようになる。
【００１５】
上記の開放空間２３に設けてある位置決めブロック２５は、例えば、図２に示すように、三つ設置される場合、その積み木本体２の形態が、長方形になり、また、仮に、図７に示すように上記位置決めブロック２５が、一つ設置される場合、その積み木本体２の形態が、正方形になる。
【００１６】
上記本考案に係る積み木固定構造の一実施形態は、図３と図４に示すように、例えば、積み木本体２の形態が長方形である場合、その積み木本体２を、組立てる際、まず、積み木本体２のボックス部２１の開放空間２３を、下方へ向くように、もう一つのボックス部２１の頂面に係合させ、係合過程において、それぞれ、開放空間２３の内壁にある位置決め突起部２４と、上記開放空間２３内の位置決めブロック２５で、その側辺にある各位置決め円弧面２６に合わせて、頂面に形成してある連接支持体２２のエッジに係合し、上記各位置決め円弧面２６により、連接支持体２２のエッジが、完全に被われ、それらの部材同士が、より密着でき、そして、安定化できる。また、開放空間２３内の位置決め体２７は、上記位置決め体２７が、下方へ向かって連接支持体２２に接すると同時に、ユーザーにとってその組立てる位置が判る。これにより、組立ての際、位置制限が容易であり、また、全体としての構造安定性が向上する。
【００１７】
また、本考案に係る積み木固定構造の他の実施形態は、図６に示すように、上記の連接支持体２２の頂面のエッジが、傾斜した傾斜面の面取り２２１であり、その面取り２２１により、使用上、損傷リスクが回避され、また、位置決め突起部２４と位置決め円弧面２６に形成されてある、上記連接支持体２２との組立て面が、それぞれ、傾斜面２４１と傾斜面２６１に形成され、上記傾斜面２４１、２６１により、上記連接支持体２２を組立てる時の利便性が向上する。また、その傾斜面２４１、２６１が、上記連接支持体２２の面取り２２１の傾斜角度に合わせて形成され、これにより、本考案の他の実施形態が完成する。
【００１８】
本考案に係る積み木固定構造によれば、開放空間内の位置決めブロックの側辺に形成されてある各位置決め円弧面により、上記各位置決め円弧面が、被うように、連接支持体のエッジに緊密に係合できるため、積み木本体の、組立て後の固定安定性が強化さる。また、全体構造が簡単で、安定性が良く、組立てや使用上の実用効果が向上する。
【００１９】
以上、本考案のより良い実施形態について説明したが、本考案は、それらによって限定されるものではない。本考案に係わる実用新案登録請求の範囲や明細書の内容に基づいて行った等価の変更や修正は、全てが、本考案の範囲内に含まれる。
【図面の簡単な説明】
【００２０】
【図１】従来の平面概念図である。
【図２】本考案の一実施形態による積み木固定構造の斜視図である。
【図３】本考案の一実施形態による積み木固定構造の平面概念図である。
【図４】図３のＡ−Ａ断面概念図である。
【図５】本考案の一実施形態による積み木固定構造に係る積み木の組立て時の一部拡大の図３のＡ−Ａ断面概念図である。
【図６】本考案の他の実施形態による積み木固定構造の断面概念図である。
【図７】本考案の他の形態による積み木固定構造の分解斜視概念図である。
【符号の説明】
【００２１】
従来
１  積み木本体
１１  ボックス部
１２  連接支持体
１３  開放空間
１４  位置決めブロック
本考案
２  積み木本体
２１  ボックス部
２２  連接支持体
２２１  面取り
２３  開放空間
２４  位置決め突起部
２４１  傾斜面
２５  位置決めブロック
２６  位置決め円弧面
２６１  傾斜面
２７  位置決め体
【図１】
0003175363.tif 000003
【図２】
0003175363.tif 000004
【図３】
0003175363.tif 000005
【図４】
0003175363.tif 000006
【図５】
0003175363.tif 000007
【図６】
0003175363.tif 000008
【図７】
0003175363.tif 000009